(57)【要約】 【課題】小さなスペースで多くの遠赤外線とマイナスイオンとを発生させることができるサウナ装置用面状ヒータ及びサウナ装置を提供すること。【解決手段】面状の炭素繊維ヒータ本体の一面に覆われた布地に遠赤外線発生パウダー及びマイナスイオン生成パウダーを練り込んでサウナ装置用面状ヒータ２，３を構成する。これらのサウナ装置用面状ヒータ２，３をケーシング１に設ける。炭素繊維ヒータ本体が面状に形成されており、この炭素繊維ヒータ本体の一面に遠赤外線発生パウダー及びマイナスイオン生成パウダーが練り込まれた布地が覆われているので、ヒータ自体の厚み寸法を薄くすることができる。【選択図】 図１
2006311890.tif 000002
【特許請求の範囲】
【請求項１】
面状に形成された炭素繊維ヒータ本体の少なくとも一面に布地を覆い、この布地に遠赤外線発生パウダー及びマイナスイオン生成パウダーを練り込んだことを特徴とするサウナ装置用面状ヒータ。
【請求項２】
請求項１に記載されたサウナ装置用面状ヒータにおいて、
前記炭素繊維ヒータ本体を挟んで前記布地と、面状の断熱材とが配置されていることを特徴とするサウナ装置用面状ヒータ。
【請求項３】
請求項１又は請求項２に記載されたサウナ装置用面状ヒータを備えたサウナ装置。
【請求項４】
請求項３に記載されたサウナ装置において、
内部に人が横になるスペースが形成され前記サウナ装置用面状ヒータが設けられたカプセル状のケーシングを備え、このケーシングは遠赤外線発生パウダー及びマイナスイオン生成パウダーを練り込んだ合成樹脂から成形され、前記サウナ装置用面状ヒータは前記布地が前記スペースに対向して配置されたことを特徴とするサウナ装置。
【請求項５】
請求項４に記載されたサウナ装置において、
前記ケーシングは人が横たわるためのロアーケースと、このロアーケースに回動自在に取り付けられ人の上部を覆うアッパーケースとを備え、前記ロアーケースの人が横たわる部分に前記サウナ装置用面状ヒータが配置され、前記アッパーケースの人に対向する部分に前記サウナ装置用面状ヒータが配置されていることを特徴とするサウナ装置。
【請求項６】
請求項４又は請求項５に記載されたサウナ装置において、
前記ケーシングには前記スペース内にマイナスイオンを発生するイオン発生装置が設けられたことを特徴とするサウナ装置。
【請求項７】
請求項４から請求項６のいずれかに記載されたサウナ装置において、
前記ケーシングには前記スペースに向けて遠赤外線を放射する遠赤外線ランプが設けられていることを特徴とするサウナ装置。
【請求項８】
請求項７に記載されたサウナ装置において、
前記遠赤外線ランプは前記スペースに横たわる人の足裏を放射するように配置されていることを特徴とするサウナ装置。
【発明の詳細な説明】
【技術分野】
【０００１】
本発明は、サウナ装置用面状ヒータ及びサウナ装置に関する。
【背景技術】
【０００２】
健康のために家庭用あるいは業務用のサウナ装置が利用されている。このサウナ装置は、発汗作用を促進させるために、ケーシングの内部にサウナ装置用面状ヒータを備えている。
従来のサウナ装置として、合成樹脂に黒鉛珪石等の粉末状の遠赤外線生成材を混合した合成樹脂板と断熱板との間に面状発熱体を一体化させた面状ヒータを備えたものがある（特許文献１）。
特許文献１のサウナ装置では、面状発熱体を発熱させることで、遠赤外線生成材から遠赤外線を放射してケーシング内に入る人の発汗作用を促進させる。
【０００３】
【特許文献１】特開２００４−２１５９５９
【発明の開示】
【発明が解決しようとする課題】
【０００４】
特許文献１では、サウナ装置を利用する人を発汗させるには十分であるが、リラクゼーション効果やヒーリング効果（癒し効果）をサウナ装置利用者に与えることができない。
このリラクゼーション効果やヒーリング効果を得るためにマイナスイオンを利用することが考えられる。マイナスイオンを発生させる装置は種々考えられているが、このマイナスイオンをケーシング内に入る人が大量に浴びるようにするには、マイナスイオン発生装置をケーシング内で多数設ける必要がある。
しかしながら、小型化されたサウナ装置では、ケーシング内に人が入るスペースが限られているので、大量のマイナスイオンを発生させるために大きなマイナスイオン発生装置や多量のマイナスイオン発生装置をケーシング内に配置することに限界がある。
【０００５】
本発明の目的は、小さなスペースで多くの遠赤外線とマイナスイオンとを発生させることができるサウナ装置用面状ヒータ及びサウナ装置を提供することである。
【課題を解決するための手段】
【０００６】
本発明のサウナ装置用面状ヒータは、面状に形成された炭素繊維ヒータ本体の少なくとも一面に布地を覆い、この布地に遠赤外線発生パウダー及びマイナスイオン生成パウダーを練り込んだことを特徴とする。
【０００７】
この構成の発明では、炭素繊維ヒータ本体によってサウナ装置用面状ヒータが発熱すると、布地に練り込まれた遠赤外線発生パウダーの作用により遠赤外線を放出させて大きな発汗作用を得ることができる。しかも、布地にはマイナスイオン生成パウダーも練り込まれているので、このマイナスイオン生成パウダーの作用によりマイナスイオンを放出させて大きなリラクゼーション効果やヒーリング効果を得ることができる。
ここで、本発明では、炭素繊維は、細長く帯状又は紐状に形成され、それ自体は柔軟で変形自在である。カーボン繊維は、例えば１枚のシート状に成形される。また、遠赤外線発生パウダーは黒鉛珪石、天照石等の遠赤外線を生成・放出する材料の紛状体を例示することができる。マイナスイオン生成パウダーはトルマリンや珪酸塩、炭の紛状体を例示することができる。
本発明では、遠赤外線発生パウダー及びマイナスイオン生成パウダーが布地に練り込まれており、この布地が炭素繊維ヒータ本体に覆われた構成であるから、スペースを取らない。
【０００８】
本発明では、前記炭素繊維ヒータ本体を挟んで前記布地と、面状の断熱材とが配置されている構成が好ましい。
この発明では、被設置部に断熱材を向けた状態でサウナ装置用面状ヒータを設置する。この状態でヒータを加熱すると、ヒータの被設置部側が断熱材で断熱されているので、熱が布地に効率的に伝達されることになり、遠赤外線及びマイナスイオンが効率的に放射される。
【０００９】
また、本発明のサウナ装置は、前述の構成のサウナ装置用面状ヒータを備えた構成である。
この構成の発明では、前述の効果を奏することができる。
ここで、本発明では、内部に人が横になるスペースが形成され前記サウナ装置用面状ヒータが設けられたカプセル状のケーシングを備え、このケーシングは遠赤外線発生パウダー及びマイナスイオン生成パウダーを練り込んだ合成樹脂から成形され、前記サウナ装置用面状ヒータは前記布地が前記スペースに対向して配置された構成が好ましい。
この構成の発明では、ケーシングが遠赤外線発生パウダー及びマイナスイオン生成パウダーを練り込んだ合成樹脂から形成されているので、サウナ装置用面状ヒータが発熱することで、ケーシング自体も発熱されて、ケーシング自体から遠赤外線及びマイナスイオンが発生する。そのため、ヒータだけでなくケーシングからも多量の遠赤外線やマイナスイオンがサウナ装置の利用者に放射されることになる。
【００１０】
さらに、前記ケーシングは人が横たわるためのロアーケースと、このロアーケースに回動自在に取り付けられ人の上部を覆うアッパーケースとを備え、前記ロアーケースの人が横たわる部分に前記サウナ装置用面状ヒータが配置され、前記アッパーケースの人に対向する部分に前記サウナ装置用面状ヒータが配置されている構成が好ましい。
この構成の発明では、ケーシングをロアーケースとアッパーケースとに分割し、これらを回動自在に連結したので、サウナ装置に利用者が出入りしやすいものとなる。その上、ロアーケースとアッパーケースとにそれぞれサウナ装置用面状ヒータが配置されているので、利用者の正面及び背面から遠赤外線とマイナスイオンとがそれぞれ全身に渡って放射されるので、より大きな発汗効果、リラクゼーション効果及びヒーリング効果を付与することができる。
【００１１】
また、前記ケーシングには前記スペース内にマイナスイオンを発生するイオン発生装置が設けられた構成が好ましい。
この構成の発明では、イオン発生装置によってヒータ以外にもマイナスイオンを利用者に放射することができるので、より大きなリラクゼーション効果やヒーリング効果を利用者に付与することができる。
【００１２】
さらに、前記ケーシングには前記スペースに向けて遠赤外線を放射する遠赤外線ランプが設けられている構成が好ましい。
この構成の発明では、遠赤外線ランプによってヒータ以外にも遠赤外線を利用者に放射することができるので、より大きな発汗効果を付与することができる。
そして、前記遠赤外線ランプは前記スペースに横たわる人の足裏を放射するように配置されている構成が好ましい。
この構成の発明では、足裏は他の部位に比べて遠赤外線を放射されることで効果的に発汗を生じる箇所であるので、この位置に遠赤外線ランプを配置する本発明では、より大きな発汗効果を付与することができる。
【発明を実施するための最良の形態】
【００１３】
以下、本発明の一実施形態にかかるサウナ装置を図面に基づいて説明する。
図１は本実施形態の全体構成を示す概略縦断面図であり、図２は本実施形態の要部を示す平面図であり、図３は図１とは直交する方向での縦断面図である。
図１及び図２において、本実施形態のサウナ装置は、内部に利用者Ｐが横になるスペース１Ａが形成されたカプセル状のケーシング１を備えている。
このケーシング１は利用者Ｐが横たわるためのロアーケース１０と、このロアーケース１０の一端部側（利用者Ｐの足下側端部）にヒンジ３０を介して回動自在に取り付けられ利用者Ｐの上部を覆うアッパーケース２０とを有するものである。
これらのロアーケース１０の利用者Ｐが横たわる部分にサウナ装置用面状ヒータ２が配置され、アッパーケース２０の利用者Ｐに対向する部分にサウナ装置用面状ヒータ３が配置されている。本実施形態では、これらのケース１０，２０自体を加熱するためにサウナ装置用面状ヒータ２，３以外にヒータを別途設けるものでもよい。
【００１４】
これらのロアーケース１０とアッパーケース２０とは、それぞれ遠赤外線発生パウダー及びマイナスイオン生成パウダーを練り込んだ合成樹脂から成形されている。
ここで、遠赤外線発生パウダーとしては、例えば、黒鉛珪石、天照石、石英斑石または石墨千枚岩（宙石）のいずれか一種または二種以上を使用することができ、５０〜３００メッシュ程度の篩いにかけて選別したものを使用することが好ましい。ケーシング１には必要に応じて炭酸カルシウムを混合させても良く、このように、炭酸カルシウムを混合させた場合には、合成樹脂を軟らかくした状態でケーシング１を形成できるため、サウナ装置用面状ヒータ２，３との密着性を高めることができる。この際、ケーシング１に混合させる前記炭酸カルシウムの量は、ケーシング１の全体の略５〜１０重量％であれば良い。
マイナスイオン生成パウダーとしては、例えば、トルマリンや珪酸塩、炭の紛状体を例示することができる。
【００１５】
合成樹脂としては、ＦＲＰ（繊維強化プラスチック）を使用することが好ましいが、例えば、ポリエステルまたはＡＢＳ等の合成樹脂でもよい。
前述の通り、合成樹脂としては、ポリエステルまたはＡＢＳ等の合成樹脂を使用することができるが、ケーシング１の成形に際して、溶解させたポリエステルまたはＡＢＳ等の合成樹脂に遠赤外線生成パウダー及びマイナスイオン生成パウダーを混合した合成樹脂混合溶液をガラス繊維からなるマットに流し込むことが好ましい。
このように、遠赤外線生成パウダーを混合したＦＲＰ（繊維強化プラスチック）を使用することにより、ケーシング１を薄く形成させた場合であっても、その強度を高くすることができ、使用者等がケーシング１の上部に乗ったとしても、折れ曲がることがない。
遠赤外線生成パウダーの量としては、ケーシング１の全体の略０．５重量％よりも少ない場合には、該遠赤外線生成パウダーが生成・放出する遠赤外線の量が十分でなく、８０重量％より多い場合には、合成樹脂と遠赤外線生成パウダーとを混合してケーシング１を形成することが困難であるため、ケーシング１の全体の略０．５〜８０重量％であれば良く、３０重量％以上であることが好ましい。
【００１６】
ロアーケース１０は、利用者Ｐを収納するための凹部１０Ａが形成されており、その凹部１０Ａにはサウナ装置用面状ヒータ２が凹部１０Ａの表面と段差がないように埋設されている。このサウナ装置用面状ヒータ２は、利用者Ｐの肩から足下までの長さ寸法と利用者Ｐの肩幅よりやや大きな幅寸法とを有する略矩形状に形成されている。
アッパーケース２０には、利用者Ｐの首から腰の位置に対応した第１凹部２０Ａと、足に対応した第２凹部２０Ｂとがそれぞれ形成されている。第１凹部２０Ａの一端部、つまり首近傍にはケーシング１のスペース１Ａを閉じるための壁部２０Ｃが形成され、第１凹部２０Ａと第２凹部２０Ｂとの間には第１突起部２０Ｄが形成され、第２凹部２０Ｂの他端部、つまり足先には第２突起部２０Ｅが形成されている。
【００１７】
第１凹部２０Ａの中央部には利用者Ｐがケーシング１の内部からサウナ装置を操作するための操作パネル４が設けられており、この操作パネル４の両側にはサウナ装置用面状ヒータ３が段差のないように設けられている。
第２凹部２０Ｂにはサウナ装置用面状ヒータ３が段差のないように設けられている。
壁部２０Ｃは、その内側に利用者Ｐがアッパーケース２０を開閉操作するための取っ手２１が設けられている。
第１突起部２０Ｄの下端部には利用者Ｐの中心部（腹部）に向けて遠赤外線を放射する遠赤外線ランプ５が設けられている。第２突起部２０Ｅの下端部には利用者Ｐの足裏に向けて遠赤外線を放射する遠赤外線ランプ６が設けられている。
【００１８】
遠赤外線ランプ５，６は、種々の構造のものを採用できるが、例えば、近赤外線をピーク放射する棒状の近赤外線ランプを原形とし、近赤外線ランプの石英バルブ表面に遠赤外線放射セラミックスをコーティングしてなるもので、通電時、加熱されたコイル状のフィラメント（タングステン線）から熱放射される可視光線や近赤外線を、遠赤外線放射セラミックスに一旦吸収させ、遠赤外線放射セラミックスを加熱することで、遠赤外線放射セラミックスから遠赤外線がピーク放射する仕組みの構造を一例として採用することができる。
【００１９】
第１突起部２０Ｄの側壁部にはスペース１Ａ内にマイナスイオンを放射するイオン発生装置７が取り付けられている。このイオン発生装置７は、種々の構造が採用できるが、例えば、ヘアードライヤや空気清浄機に用いられるものであって、ケーシング内にファンとマイナスイオンを供給するイオン発生部とをそれぞれ取り付け、イオン発生部としてハロゲン元素を含んだ材質で形成されたものを一例として採用することができる。
ロアーケース１０とアッパーケース２０との間にはアッパーケース２０の開閉操作を容易にするとともにアッパーケース２０の開放状態を維持するシリンダ装置８が一対設けられている。
【００２０】
サウナ装置用面状ヒータ２，３の具体的な構造が図４に示されている。図４（Ａ）にはアッパーケース２０に取り付けられたサウナ装置用面状ヒータ３の断面構造が示されている。
図４（Ａ）において、サウナ装置用面状ヒータ３は、アッパーケース２０に貼付された断熱材９１と、この断熱材９１の表面に貼付された面状炭素繊維ヒータ本体９２と、この面状炭素繊維ヒータ本体９２に表面に貼付されスペース１Ａに対向した布地９３とを備えた構造である。
断熱材９１はシート状に形成されるものであって、空気断熱性を有する（スポンジ状の）発泡性材料を全て含む。
【００２１】
面状炭素繊維ヒータ本体９２は炭素繊維を発熱体として平面略矩形状に形成されたものである。この炭素繊維は、ニクロム線などの金属抵抗線と比較して、安定した抵抗値を示し、かつ熱効率が高く発熱ムラが少ないのでヒータとして好ましい。炭素繊維は、所定の直径の繊維からなるものが好ましく、例えば不織布状、織布状、編布状等に形成される。面状炭素繊維ヒータ本体９２は、その相対する２辺に図示しない電極が接続されており、この電極を通じて電気回路が組まれる。電源は特に限定されず、家庭用の電灯線等でよく、温度に応じ制御回路で電圧を調整して面状炭素繊維ヒータ本体９２に通電する。なお、面状炭素繊維ヒータ本体９２には漏電防止のため、高融点の熱可塑性樹脂（例えばポリエステル系樹脂）、または熱硬化性樹脂（例えばエポキシ系樹脂）等からなる電気絶縁材を被覆するものでもよい。
【００２２】
布地９３は合成樹脂の生地に遠赤外線発生パウダー及びマイナスイオン生成パウダーを練り込んだ構造である。
布地９３の生地は、パルプあるいはポリエステルやＡＢＳ等の合成樹脂から成形される。遠赤外線発生パウダーやマイナスイオン発生パウダーは前述の構成のものを利用することができる。
布地９３の成形に際して、溶解させたパルプ、あるいは、ポリエステルやＡＢＳ等の合成樹脂に遠赤外線生成パウダー及びマイナスイオン生成パウダーを混合し、図示しない型に流し込んでシート状に形成することが好ましい。
【００２３】
図４（Ｂ）はロアーケース１０に取り付けられたサウナ装置用面状ヒータ２の断面構造が示されている。
図４（Ｂ）において、サウナ装置用面状ヒータ２は、ロアーケース１０の表面に貼付された断熱材９１と、この断熱材９１の表面に貼付された面状炭素繊維ヒータ本体９２と、この面状炭素繊維ヒータ本体９２の表面に貼付された布地９３と、この布地９３の表面に着脱自在に取り付けられた被覆シート９４とを備えた構造である。
被覆シート９４はネオプレンゴム（商品名）等の発泡ゴムから成形されたシート本体に遠赤外線発生パウダー及びマイナスイオン生成パウダーを練り込んだ構造である。
遠赤外線発生パウダーやマイナスイオン発生パウダーは前述の構成のものを利用することができる。
被覆シート９４の成形に際して、溶解させた発泡ゴムに遠赤外線生成パウダー及びマイナスイオン生成パウダーを混合し、図示しない型に流し込んでシート状に形成することが好ましい。
【００２４】
次に、本実施形態にかかるサウナ装置の作用について説明する。
ケーシング１のスペース１Ａに利用者Ｐが横になった状態で操作パネル４を操作してサウナ装置用面状ヒータ２，３に通電する。
すると、面状炭素繊維ヒータ本体９２が発熱し、この熱が布地９３に伝達される。さらに、ロアーケース１０においては、布地９３からの熱が被覆シート９４にも伝達される。布地９３や被覆シート９４に熱が伝わると、その熱によって遠赤外線発生パウダー及びマイナスイオン生成パウダーから遠赤外線やマイナスイオンがスペース１Ａに放射され、スペース１Ａに横たわる利用者Ｐがこれらの遠赤外線やマイナスイオンを浴びることになる。
【００２５】
スペース１Ａには遠赤外線ランプ５，６から遠赤外線が放射され、利用者Ｐはランプ５，６から放射される遠赤外線を浴びることになる。また、イオン発生装置７が作動してスペース１Ａにマイナスイオンが放射され、このマイナスイオンを利用者Ｐが浴びることになる。
ケーシング１に別途設けられたヒータ（図示せず）によりロアーケース１０及びアッパーケース２０が加熱され、これらのケース１０，２０に練り込まれた遠赤外線発生パウダー及びマイナスイオン生成パウダーから遠赤外線やマイナスイオンがスペース１Ａに放射され、スペース１Ａ内の利用者Ｐが遠赤外線やマイナスイオンを浴びることになる。
つまり、ケーシング１のスペース１Ａに横たわる利用者Ｐは頭部を除いて全身に遠赤外線を浴びることで発汗し、マイナスイオンを浴びることで、リラクゼーション効果やヒーリング効果が付与される。
【００２６】
従って、本実施形態のサウナ装置用面状ヒータ２，３は、面状の炭素繊維ヒータ本体９２の一面に覆われた布地９３に遠赤外線発生パウダー及びマイナスイオン生成パウダーを練り込んだ構成とした。そのため、炭素繊維ヒータ本体９２が面状に形成されており、この炭素繊維ヒータ本体９２の一面に遠赤外線発生パウダー及びマイナスイオン生成パウダーが練り込まれた布地９３が覆われているので、ヒータ自体の厚み寸法を薄くすることができる。
【００２７】
炭素繊維ヒータ本体９２を挟んで布地９３と面状の断熱材９１とが互いに対向配置されているから、ヒータの被設置部側が断熱材９１で断熱されていることから、熱が布地９３に効率的に伝達されることになり、遠赤外線及びマイナスイオンが効率的に放射される。
【００２８】
ケーシング１を構成するロアーケース１０に設けられたサウナ装置用面状ヒータ２は、布地９３の表面にネオプレンゴム（商品名）等の発泡ゴムから成形されたシート本体に遠赤外線発生パウダー及びマイナスイオン生成パウダーを練り込んで成形された被覆シート９４を設けたから、利用者Ｐに与える遠赤外線やマイナスイオンの量を大きなものにできる他、利用者Ｐに接する部位の被覆シート９４が柔軟な材料で形成されているので、利用者Ｐが横たわってもロアーケース１０の硬さを感じないで済む。
【００２９】
本実施形態のサウナ装置は、前述の構成のサウナ装置用面状ヒータ２，３がケーシング１に取り付けられた構造であるため、ヒータ設置スペースを小さくできる。換言すれば、ケーシング１において利用者Ｐが横たわるスペース１Ａを大きく形成することができるので、サウナ利用者が手足を自由に動かすことができる。
【００３０】
ケーシング１は遠赤外線発生パウダー及びマイナスイオン生成パウダーを練り込んだ合成樹脂から成形され、サウナ装置用面状ヒータ２，３は布地９３がスペース１Ａに対向して配置された構成とした。そのため、サウナ装置用面状ヒータ２，３が発熱することで、ケーシング１自体も発熱されて、ケーシング１自体から遠赤外線及びマイナスイオンが発生することになり、多量の遠赤外線やマイナスイオンが利用者Ｐに供給されるので、より大きな発汗効果、リラクセーション効果及びヒーリング効果を得ることができる。
【００３１】
ケーシング１は人が横たわるためのロアーケース１０と、このロアーケース１０に回動自在に取り付けられ利用者Ｐの上部を覆うアッパーケース２０とを備えたから、サウナ装置に利用者Ｐが出入りしやすくなる。しかも、ロアーケース１０の人が横たわる部分にサウナ装置用面状ヒータ２が配置され、アッパーケース２０の利用者Ｐに対向する部分にサウナ装置用面状ヒータ３が配置されているため、利用者Ｐの正面及び背面から遠赤外線とマイナスイオンとがそれぞれ全身に渡って放射されるので、より大きな発汗効果、リラクゼーション効果及びヒーリング効果を付与することができる。
【００３２】
アッパーケース２０にはスペース１Ａ内にマイナスイオンを発生するイオン発生装置７が設けられているので、このイオン発生装置７によって多くのマイナスイオンを利用者Ｐに放射することができるから、この点からも、より大きなリラクゼーション効果やヒーリング効果を利用者Ｐに付与することができる。
【００３３】
ケーシング１はスペース１Ａに向けて遠赤外線を放射する遠赤外線ランプ５，６が設けられているから、これらの遠赤外線ランプ５，６によってヒータ以外にも遠赤外線を利用者Ｐに放射することができるので、より大きな発汗効果を付与することができる。
遠赤外線ランプ６は利用者Ｐの足裏に遠赤外線を放射するように配置されている。足裏は他の部位に比べて遠赤外線を放射されることで効果的に発汗を生じる箇所であるので、この位置に遠赤外線ランプ６を配置することで、より大きな発汗効果を付与することができる。
【００３４】
操作パネル４がアッパーケース２０の内部に設けられているから、利用者Ｐがケーシング１の内部に入った状態でもサウナ装置を操作することができる。
アッパーケース２０は、利用者Ｐの首から足下までを覆う構成であるため、利用者Ｐの顔が外部に露出される状態となる。従って、利用者Ｐが息苦しくなることがない。
【００３５】
なお、本発明は前述の実施形態に限定されるものではなく、本発明の目的を達成できる範囲での変形、改良等は本発明に含まれるものである。
例えば、前記実施形態では、ケーシング１のスペース１Ａに利用者Ｐが横たわって利用するものとしたが、本発明では、利用者Ｐが立って利用する構造のものでもよい。この場合、ケーシング１を前面側と背面側とに２分割する構成を採用してもよい。
また、ケーシング１で利用者Ｐの全体を覆う構造としてもよい。
【００３６】
さらに、ロアーケース１０とアッパーケース２０とのいずれか一方にサウナ装置用面状ヒータ２，３を設ける構成としてもよい。
また、遠赤外線ランプ５，６やイオン発生装置７は必要に応じて設けるものでよく、これらの装置の一方あるいは双方を設けなくてもよい。
【産業上の利用可能性】
【００３７】
本発明は、美容や健康のために使用されるサウナ装置一般に利用できる。
【図面の簡単な説明】
【００３８】
【図１】本発明の一実施形態にかかるサウナ装置を示す概略縦断面図。
【図２】前記実施形態の要部を示す平面図。
【図３】図１とは直交する方向での縦断面図。
【図４】サウナ装置用面状ヒータの断面構造を示すもので、（Ａ）はアッパーケースに取り付けられたサウナ装置用面状ヒータの断面図であり、（Ｂ）はロアーケースに取り付けられたサウナ装置用面状ヒータの断面図。
【符号の説明】
【００３９】
１…ケーシング
２，３…サウナ装置用面状ヒータ
５，６…遠赤外線ランプ
７…イオン発生装置
９１…断熱材
９２…炭素繊維ヒータ本体
９３…布地
９４…被覆シート
Ｐ…利用者
【図１】
2006311890.tif 000003
【図２】
2006311890.tif 000004
【図３】
2006311890.tif 000005
【図４】
2006311890.tif 000006